(57)【要約】【課題】  上部タンクから球落下部に落下した球を下部タンクに誘導し、下部タンクの底部を球揚送装置側に下り傾斜させ、球揚送装置により下部タンク内の球を上部タンクに揚送する遊技島において、下部タンクを深くしたり、または、長手方向に短尺にしたりする必要をなくす。【解決手段】  下部タンク３１には、底部３４の上方に球貯留空間を空けた状態で一側壁から突出して底部３４と傾斜方向が同方向の第１樋部（バイパス用側部樋６５）と、底部の上方に球貯留空間を空けた状態で他側壁から突出して底部３４と傾斜方向が反対の第２樋部（均し用側部樋６６）とを設け、球落下部３６ａに落下した球を第２樋部を介して下部タンク３１に誘導するとともに、下部タンク３１内の球を第１樋部によりバイパスさせて球揚送装置３３に送る構成とする。【選択図】  図４
2008136537.tif 000002
【特許請求の範囲】
【請求項１】
上部タンクから球落下部に落下した球を下部タンクに誘導し、該下部タンクの底部を球揚送装置側に下り傾斜させ、該球揚送装置により下部タンク内の球を前記上部タンクに揚送する球循環機構を有する島設備において、
前記下部タンクは、底部の上方に球貯留空間を空けた状態で一側壁から突出して底部と傾斜方向が同方向の第１樋部と、底部の上方に球貯留空間を空けた状態で他側壁から突出して底部と傾斜方向が反対の第２樋部と、を設け、
前記球落下部は、前記第２樋部側に設けられ、
前記球落下部に落下した球を前記第２樋部を介して下部タンクに誘導するとともに、下部タンク内の球を前記第１樋部によりバイパスさせて球揚送装置に送るようにしたことを特徴とする島設備。
【請求項２】
遊技機を前記下部タンクの底部の傾斜方向に沿って両側に配設し、
前記球循環機構は、遊技機から排出される球を前記第１樋部または第２樋部を跨がせて前記下部タンクの底部に落下させる第３樋部を有することを特徴とする請求項１に記載の島設備。
【請求項３】
前記第２樋部側の遊技機から排出される球が転動する第３樋部は、排出口を中央より前記第１樋部側に寄せて設けたことを特徴とする請求項２に記載の島設備。
【請求項４】
前記第２樋部に、傾斜方向に沿って流下する球を屈折させて前記第１樋部側に向けて落下させる方向変換部材を設けたことを特徴とする請求項２〜３のいずれかに記載の島設備。
【発明の詳細な説明】
【技術分野】
【０００１】
本発明は、複数の遊技機（例えば、パチンコ機など）が設置された遊技場の遊技機設置島（場合により、設置島、遊技島又は島という。）に関する。
【背景技術】
【０００２】
従来の遊技機設置島、例えばパチンコ遊技機を設置した設置島においては、内部下方に下部タンクを設置島の長手方向に沿って配設し、この下部タンクの底部にパチンコ遊技機から排出された球を回収する回収樋が形成され、回収樋の下り傾斜の下流側に球揚送装置を設置し、設置島の上部には、球揚送装置により研磨しながら揚送した球を貯留する上部タンクを設けるとともに、この上部タンクから各パチンコ遊技機に球を補給する球補給樋を設置島の長手方向に沿って設けてある。
【０００３】
このような設置島の中には、特許文献１に開示されているように球補給樋に球が充満すると上部タンクに揚送された球が流れ込む溢れ球樋（均し板に相当）が、下部タンクの長手方向の両側に設けられ、溢れ球樋によって下部タンクに均等に球が貯留されるようになっている。また、溢れ球樋の下方スペースにバイパス誘導路を積層させて下部タンク内の球をバイパスさせて球揚送装置に送っている。
【０００４】
【特許文献１】特開平９−２４１５２号公報
【発明の開示】
【発明が解決しようとする課題】
【０００５】
ところで、上記従来の設置島の下部タンクは、傾斜方向が反対の溢れ球樋とバイパス誘導路が上下に重なっているため、双方の傾斜を確保するのに、下部タンクを深くしたり、または、長手方向に短尺にしたりする必要があって、実用的でないといった問題がある。
そこで本発明は、上述した設置島において下部タンクを深くしたり、または、長手方向に短尺にしたりする必要をなくすことを目的とする。
【課題を解決するための手段】
【０００６】
本願請求項１に記載の島設備は、上部タンクから球落下部に落下した球を下部タンクに誘導し、該下部タンクの底部を球揚送装置側に下り傾斜させ、該球揚送装置により下部タンク内の球を前記上部タンクに揚送する球循環機構を有する島設備において、
前記下部タンクは、底部の上方に球貯留空間を空けた状態で一側壁から突出して底部と傾斜方向が同方向の第１樋部と、底部の上方に球貯留空間を空けた状態で他側壁から突出して底部と傾斜方向が反対の第２樋部と、を設け、
前記球落下部は、前記第２樋部側に設けられ、
前記球落下部に落下した球を前記第２樋部を介して下部タンクに誘導するとともに、下部タンク内の球を前記第１樋部によりバイパスさせて球揚送装置に送るようにしたことを特徴とする。
ここで、「バイパスさせて球揚送装置に送る」とは、下部タンクの底部を経由するメイン流路を迂回させて遊技球を球揚送装置に送ることを意味する。
【０００７】
本願請求項２に記載の島設備は、遊技機を前記下部タンクの底部の傾斜方向に沿って両側に配設し、
前記球循環機構は、遊技機から排出される球を前記第１樋部または第２樋部を跨がせて前記下部タンクの底部に落下させる第３樋部を有することを特徴とする。
【０００８】
本願請求項３に記載の島設備は、前記第２樋部側の遊技機から排出される球が転動する第３樋部は、排出口を中央より前記第１樋部側に寄せて設けたことを特徴とする。
【０００９】
本願請求項４に記載の島設備は、前記第２樋部に、傾斜方向に沿って流下する球を屈折させて前記第１樋部側に向けて落下させる方向変換部材を設けたことを特徴とする。
【発明の効果】
【００１０】
本願請求項１に記載の島設備によれば、第１樋部と第２樋部とが下部タンクにおいて互いに反対側の側壁に設けられているので（即ち、上下に重なって配置されていないので）、双方の傾斜を確保するのに、下部タンクを深くしたり、または、長手方向に短尺にしたりする必要がなく実用的である。
【００１１】
また、請求項２に記載の島設備によれば、下部タンクの底部に遊技球が山積み状態に貯留されているような多量球貯留状態において、遊技機から排出された球が、山積み状態の球で形成された斜面により第１樋部に誘導される。このため、前記多量球貯留状態において遊技機から排出された球をスムーズにバイパスさせて球揚送装置に誘導できる。
【００１２】
また、請求項３又は４に記載の島設備によれば、下部タンクの底部から山積み状態に貯留された球の頂部を第１樋部側に寄せることができ、よりスムーズに遊技機から排出された球を球揚送装置にバイパスさせて誘導できる。
【発明を実施するための最良の形態】
【００１３】
以下、本発明の実施の形態を図面に基づいて説明する。
Ａ．遊技場の設備全体の概略構成
まず、遊技場の設備全体の概略構成について説明する。図１は、後述する遊技島１０ｃの内部構造（正面を覆う板や遊技機を取り外した状態）を示す正面図である。
本例の設備は、複数の島よりなるグループが複数設置されて構成される。例えば、三つの島１０ａ，１０ｂ，１０ｃ（島１０ｃのみを図１に示す、他は図示省略）が並列状態に設置されてグループ１が形成されている。そして、このグループ１の隣りには、同一島配列又は異なる島配列の他のグループ（図示省略）が配置されていて、グループ間の遊技球の移動（交流）が行われる。例えば、グループ１と全く同一構成のグループが隣接して配置され、端に位置する子島同士（グループ１では例えば島１０ｃ）を介して交流が行われる。なお、各遊技島をそれぞれ構成する設備が、本発明の島設備に相当する。
【００１４】
各遊技島には、その筐体内に、遊技球を使用して遊技が行われるパチンコ機等の遊技機（図示省略）が長手方向に並べて設置してある。そして、特定の遊技島（例えば、両端の島１０ａと島１０ｃ）の一端又は両端には、計数器１２が設置されている。計数器１２は、払い出された遊技球（即ち、景品球）を受入れてその数量を計数し、その数量の情報等を所定の媒体（レシート、カードなど）に記録して出力する周知の機械であり、各計数器１２から受入れた遊技球は各計数器１２が設置された遊技島内に直接回収される構成となっている。
なお、遊技島の配列や配列数、或いは計数器の配置等は、上述の態様に限られないことはいうまでもない。
【００１５】
各遊技島の中央上面側には、揚送された内部の遊技球が島内循環或いは島間循環のために一時的に貯留される上部タンク１３が設けられており、この上部タンク１３は、上部主タンク１３ａと、上部補助タンク１３ｂとよりなる。このうち、上部補助タンク１３ｂには、隣接する遊技島間を連絡する島間樋（図示省略）が接続されている。
ここで、島間樋は、遊技球を流下させる方向において斜め下に傾斜した状態に設けられており、遊技球を自重により流下させることによって、或る遊技島から隣接する遊技島（同グループ内又は他グループ内の他の島）に移動させる樋である。
なお、図１における符号１４や１５は、上部補助タンク１３ｂにおける島間樋の接続口を示し、このうち符号１４は他島から自島へ向かう島間樋の接続口、符号１５は自島から他島へ向かう島間樋の接続口を示す。
【００１６】
そして、上部タンク１３における島間樋の傾斜下端側の遊技球入口（図１では接続口１４）には、この入口を開閉する上部シャッター（図示省略する）が設けられている。
また各島には、島制御装置（図示省略）が設けられ、上記上部シャッターを含む各島内の機器の制御は、それぞれこれらの島制御装置により行われる。各島の島制御装置は、相互に接続されている。
【００１７】
Ｂ．遊技島の概略構成
次に、各遊技島の概略構成及び遊技球の流れの概要について説明する。
各遊技島は、図１に示す如く、前述の上部タンク１３に加えて、島内の比較的下側に配置されて遊技球を貯留する下部タンク３１と、島の長手方向（遊技機が並ぶ左右方向）の略中央に配置される球揚送装置３３と、この球揚送装置３３を中心として両側に伸びるように各遊技機の下方に配設された遊技球回収樋３４と、上部タンク１３の下部両側に接続されて上部タンク１３の遊技球を各遊技機に補給する遊技球補給樋３５と、上部タンク１３内の遊技球を自島内の下部タンク３１に向けて流下させる降下流路（図１に示す移送球流路３６や図示省略したオーバーフロー流路）と、下部タンク３１の底部であって球揚送装置３３の近傍（遊技球回収樋３４の下流側）に設けられた下部シャッター３７とを備える。なお、球揚送装置３３による揚送経路以外の遊技球の移動経路（各樋及び流路）は、全て遊技球がその自重により移動するものである。また、上述した上部タンク１３、下部タンク３１、球揚送装置３３、及び降下流路等は、本発明の球循環機構を構成する。また、遊技球回収樋３４は、下部タンク３１の底部を構成する。
【００１８】
ここで、下部タンク３１は、遊技球回収樋３４の上方の空きスペースを、その設置空間とするタンクである。この下部タンク３１（以下、場合により単にタンク３１という）や遊技球回収樋３４や下部シャッター３７は、球揚送装置３３の左右両側に１個ずつ設けられている。
また移送球流路３６は、上部補助タンク１３ｂに上端が接続されて下方に伸びる管状の流路であり、島間樋から流入した遊技球を左右の下部タンク３１に向けて流下させるものである。この移送球流路３６の下端は、後述する図３の均し樋６１の始端部（後述する球落下部３６ａ）に向けて配置され、この均し樋６１の始端部に上部タンク１３からの球を落下させる。
【００１９】
またオーバーフロー流路は、上部タンク１３に接続されて、左右何れかの下部タンク３１内に遊技球を流下させるものである。
また下部シャッター３７は、前記島制御装置によって制御され、例えば自島の球貯留量（下部タンク３１内の球貯留量）が少ないときに、下部タンク３１内から球揚送装置３３の入口に向かう遊技球の流路を遮断して、他島への遊技球の供給を停止するためのものである。このように球揚送装置３３の入口への遊技球の流入を適宜停止することによって、球揚送装置３３の負荷が減る利点がある。
なお、下部タンク３１やその周辺構成の詳細については、後述する。
【００２０】
そして遊技球は、概略次のように島内を循環する構成となっている。
即ち、各遊技機から排出される遊技球（アウト球等）は、まず島の下部（各遊技機の下側）の左右方向に傾斜した状態に設けられた遊技球回収樋３４（或いは、後述する均し樋６１やバイパス用側部樋６５）により回収されて、下部シャッター３７によって開閉される流路を経由して島の略中央底部の位置に集められる。この位置には、球揚送装置３３の下端側の入口が配置されており、この位置に集められた遊技球は図示省略した整列装置により、整然と球揚送装置３３に入り、この球揚送装置３３で研磨されつつ揚送され、球揚送装置３３の上端側の出口から前述の上部タンク１３における上部主タンク１３ａ内の上部に排出される。
【００２１】
なお、計数器１２が受入れた遊技球も、計数器１２の裏面側（島の側壁の内側）に突出する排出口１２ａ（図３に示す）より、遊技球回収樋３４の始端部に流れ落ちるようになっており、遊技機から排出された遊技球と同様に回収され、球揚送装置３３に送られる。
次に、球揚送装置３３から上部主タンク１３ａ内の上部に排出された遊技球は、例えば、島間樋、遊技球補給樋３５、オーバーフロー流路の順に優先して供給される。即ち、まず他島へ球を送る島間樋に供給され、この島間樋の入口が遊技球により満杯となっていると遊技球補給樋３５に供給され、遊技球補給樋３５の入口が遊技球により満杯となっているとオーバーフロー流路に供給される。
【００２２】
なお、遊技球補給樋３５に流入した遊技球は、島の上部（各遊技機の上側）の左右方向に傾斜した状態に設けられた各遊技球補給樋３５により各遊技機に供給される。遊技球補給樋３５には、各遊技機に対応する複数箇所にシュートと呼ばれる遊技球の分配器（図示省略）が設けられており、この分配器の動作により適宜補給が必要な遊技機や遊技機に付設された球貸機に上記遊技球補給樋３５から遊技球が補給される。
【００２３】
また、島間樋から流入した遊技球（他島から供給された遊技球）は、移送球流路３６に供給される。なお、前述した上部シャッターが閉じると、この島間樋からの遊技球の流入が止まる。前述した島制御装置は、例えば自島の遊技球貯留量が他島に比較して多いときに、上部シャッターを閉じる。
【００２４】
なお、符号を付しての詳細説明を省略するが、球揚送装置３３は、例えば、上下方向に配されて周回する搬送ベルトと、この搬送ベルトの片面側に対向配置される研磨布と、遊技球の外径に対応した断面半円状の溝が上下方向に形成され、前記研磨布の裏面側を保持した状態に配置される案内部材と、前記搬送ベルトを駆動するモータ等の駆動機構とを備えるもので、前記搬送ベルトと研磨布の間に遊技球を挟み込んだ状態で、遊技球を整列させたまま上向きに転動させることにより、遊技球を研磨しつつ整然と揚送する装置である。この球揚送装置３３は、基本的に常時駆動される。
【００２５】
Ｃ．下部タンク等の構成
次に、計数器１２が設置された島１０ｃにおける下部タンク３１とその周辺構成について、図２〜図１０により説明する。
ここで図２は、右側の下部タンク３１や後述するアウトタンク５１，５２等を示す斜視図（球揚送装置３３の側から斜めに見た図）である。また図３は、図２においてアウトタンク５１，５２等を取り除いた状態を示す斜視図である。また図４は、右側の下部タンク３１等（アウトタンク５１，５２等を含まない）を示す斜視図（島端側から斜めに見た図）である。また図５は、右側の下部タンク３１等（アウトタンク５１，５２等を含む）を示す縦断面図である。また図６は、後述する方向変換部材８１の取り付け作業を説明するための斜視図である。
【００２６】
図３において符号４１で示すのは、島の筐体の側壁である。遊技球回収樋３４の島端側の端壁（図示省略）は、この側壁４１の内面に接合した状態に配置されている。この側壁４１には、後述する排出口１２ａを挿入するための開口部４１ａが形成されている。
また図３に示すように、上記側壁４１の外面側には、計数器設置台４２が配置され、この計数器設置台４２の上に計数器１２が載置される。
そして、計数器１２の背面に設けられた球の排出口１２ａは、上記開口部４１ａに挿入されて、側壁４１より内面側（遊技球回収樋３４の始端部上方）に突出し、計数器１２で投入された遊技球は、その排出口１２ａから島の遊技球回収樋３４の始端部（詳しくは、後述する蓋部材４９の上面）に落下する構成となっている。
【００２７】
また、図３において符号４３で示すのは、島の筐体の底部を構成する底部構成部材である。この底部構成部材４３は、図３や図５に示すように、遊技球回収樋３４の正面と後面と下面を覆うように床面上に設置される概略断面Ｕ字状の部材である。この底部構成部材４３の正面側と後面側の上端部は、それぞれ前方又は後方にＬ字状に曲がって伸びていて、この前方又は後方に伸びる平板状部分がいわゆる膳板４３ａ，４３ｂ（遊技機の下方に位置し、遊技者が出球を入れた箱を載せておく棚板）を構成し、この平板状部分の回収樋側に遊技機設置部が構成されている。なお、遊技球回収樋３４の前面壁３４ｂと後面壁３４ｃ（図３等に示す）は、この底部構成部材４３の内面に接合している（図５参照）。
なお本例では便宜上、図５における左側を島の正面側、図５における右側を島の裏面側としている。
【００２８】
そして、図３に示すように、遊技球回収樋３４の始端部（排出口１２ａの下方）には、遊技球回収樋３４における球の貯留状態を検出する第１検出部４４が設けられている。
この第１検出部４４は、遊技球が遊技球回収樋３４の始端側（側壁４１の付近）に所定量以上滞留したことを検出して検出信号を出力する第１検出器４５と、この第１検出器４５を取り付けた壁状部材４６と、この壁状部材４６の両縁部を上方から挿通する溝部（図示省略）と、この溝部に挿通された壁状部材４６を上方から覆う蓋部材４９と、から構成されている。
ここで、第１検出器４５が出力する前記検出信号は、例えば次のように利用される。即ち、この信号を受けた当該遊技島の島制御装置は、当該遊技島の下部シャッター３７を開くと共に、隣接する他の島の島制御装置に、当該遊技島の遊技球回収樋３４の始端側に遊技球が所定量以上滞留していることを示す信号を送信する。そして、この信号を受けた隣接する島は、上部シャッターを開いて遊技球を受け入れ、当該遊技島において遊技球が過剰となることを阻止する。
【００２９】
なお、壁状部材４６は単に前記溝部に両端を挿通することで組み付けられ、また蓋部材４９は、壁状部材４６の上面側に設けられた載置部（図示省略）に単に載せた状態で組み付けられており、これら蓋部材４９や壁状部材４６は容易に取り外し可能となっている。このため、第１検出器４５のメンテナンスが簡単にできる。
そして蓋部材４９は、上面側と下面側に衝撃吸収性材を備え、上面に計数器１２からの計数球が衝接する衝接部を形成し、計数器１２からの遊技球を遊技球回収樋３４へ静かに落下させる構成となっている。
【００３０】
次に、図２や図５において符号５１，５２で示すのは、各遊技機の下部にそれぞれ設けられて、各遊技機から排出された遊技球を検出するセンサ（図示省略）を備えたアウトタンクである。なお、アウトタンク５１は正面側の遊技機の下部に配置されたものであり、アウトタンク５２は裏面側の遊技機の下部に配置されたものである。
【００３１】
これらアウトタンク５１，５２の底部には、遊技機から排出された遊技球を後述する第１樋部（バイパス用側部樋６５）または第２樋部（均し用側部樋６６）を跨がせて下部タンク３１の底部に落下させる排出樋部５３，５４，５５（本発明の第３樋部に相当）が形成されている。このうち、排出樋部５３は、正面側のアウトタンク５１に設けられたもので、その排出口５３ａ（図５に示す）は後述する第１樋部（バイパス用側部樋６５）よりも前後方向内側（即ち、図５に示す中央位置Ｃに近い位置）に位置しており、この第１樋部を跨がせて下部タンク３１の底部に遊技球を落下させるものである。また排出樋部５４は、この場合図２に示すように、裏面側のアウトタンク５２のうち左右方向両端（球揚送装置３３に隣接する位置と島端の位置）に位置するものに設けられたもので、その排出開口（符号省略）は、やはり第１樋部（バイパス用側部樋６５）よりも前後方向内側（即ち、図５に示す中央位置Ｃに近い位置）に位置しており、この第１樋部の位置よりも内側において下部タンク３１内（例えば、均し樋６１上）に遊技球を流下させるものである。また排出樋部５５は、この場合図２に示すように、裏面側のアウトタンク５２のうち左右方向中央側の３個に設けられたもので、その排出口５５ａ（図５に示す）の前後方向位置は後述する第２樋部（均し用側部樋６６）よりも第１樋部（バイパス用側部樋６５）に近い位置（この場合、前後方向中央位置Ｃよりも正面側にずれた位置）に設定されており、第２樋部（均し用側部樋６６）を大きく跨がせて遊技球を下部タンク３１の底部に落下させるものである。
【００３２】
このような構成により、各遊技機において遊技者の操作により発射されて遊技盤の遊技領域に有効に打ち込まれた全ての有効発射球（ファウル球除くもの）は、遊技領域の入賞口又はアウト口を経て対応するアウトタンク（アウトタンク５１又は５２）内に排出され、１個ずつ検出されるとともに、排出樋部５３，５４，５５のうちの何れかを経由して下部タンク３１内に落下する。
なお、このアウトタンク５１，５２において排出球を検出するセンサは、例えば、排出樋部５３，５４，５５の終端位置などに設けられる。
【００３３】
また図２や図５に示すように、遊技球回収樋３４の前面壁３４ｂと後面壁３４ｃの上端には、アウトタンク載置台５６，５７がそれぞれ固定され、これらアウトタンク載置台５６，５７の上にアウトタンク５１，５２がそれぞれ固定されている。なお図５に示すように、アウトタンク載置台５６は、前面壁３４ｂの上端から膳板４３ａの後方に延びるように設けられており、この上にアウトタンク５１が載置されて固定されている。また、アウトタンク載置台５７は、後面壁３４ｃの上端から膳板４３ｂの前方に延びるように設けられており、この上にアウトタンク５２が載置されて固定されている。
【００３４】
次に、図３等において符号６１で示すのは、均し樋である。均し樋６１は、遊技球回収樋３４の上方（即ち、下部タンク３１の上部）に遊技球回収樋３４の上面側を一部覆うように配置された帯板状部材よりなる樋であり、後述する均し用側部樋６６の部分においては、下部タンク３１の底部の上方に球貯留空間を空けた状態で下部タンク３１の他側壁（即ち、後面壁３４ｃ）から前方に突出する。この均し樋６１は、球揚送装置３３の近傍位置から島端に向けて延びるように球揚送装置３３の両側にそれぞれ設けられており、遊技球回収樋３４とは逆向きに傾斜している。即ち、遊技球回収樋３４が、島の中央側（球揚送装置３３の近傍位置）から島端に向かって上り傾斜しているのに対して、均し樋６１は、島の中央から島端に向かって下り傾斜している（図１参照）。いいかえると、遊技球回収樋３４の始端（遊技球の流れ方向の上流側の端）は島端側に位置するのに対して、均し樋６１の始端は島の中央（遊技球回収樋３４の終端側）に位置する。このため、均し樋６１上の遊技球は、遊技球回収樋３４とは逆に、基本的に島の中央から島端に向かって流れる。そして図１に示すように、均し樋６１の始端が遊技球回収樋３４の底面よりも上方に大きく離れているのに対して、均し樋６１の終端は、遊技球回収樋３４の底面から僅かな距離しか離れていない。
【００３５】
なお、この均し樋６１の終端は、遊技球回収樋３４の始端位置（第１検出部４４）よりも少し手前の位置（島の中央側）に位置している。これにより、均し樋６１上をその終端まで流れた遊技球は、遊技球回収樋３４の始端位置に円滑に流れ落ち、遊技球が充満していない限り、今度は逆に遊技球回収樋３４の底面上を島中央側に向かって流れる構成となっている。
【００３６】
また図３に示すように、均し樋６１には、その終端から始端に向けて延びるように長方形状の切り欠き６２（上下に開口する部分）が形成されている。これにより、均し樋６１上を流れる遊技球は、場合によっては、均し樋６１の終端（即ち、後述する均し用側部樋６６の終端）に到達する前に、この切り欠き６２（例えば、この切り欠き６２の上流側端縁や後述する間隙６８ａ）を介して遊技球回収樋３４の底面（即ち、下部タンク３１の底部）に向けて流れ落ちる構成となっている。なお図４等に示すように、均し樋６１の始端部付近には、切り欠き６２は形成されておらず、この部分で遊技球が均し樋６１から下方に落下することはない。また図４に示すように切り欠き６２は、この場合正面側に偏って設けられており、島の裏面側にのみ幅の狭い帯板状部分（後述する均し用側部樋６６）を残すような寸法形状とされている。
【００３７】
また図３に示すように、均し樋６１の始端部の若干上方位置には、移送球流路３６の下端開口が下向きに配置され、この均し樋６１の始端部（移送球流路３６の下端開口が対向する部分）が、移送球流路３６からの遊技球が落下する球落下部３６ａとなっている。この球落下部３６ａに落下した遊技球は、島の左右に配置された均し樋６１の何れか一方に流れる。そして、まず均し樋６１の始端部から切り欠き６２のある終端側（島端側）に向かって均し樋６１の上を流れる構成となっている。
【００３８】
次に、下部タンク３１内における島の正面側には、本発明の第１樋部に相当するバイパス用側部樋６５が設けられている。このバイパス用側部樋６５は、下部タンク３１の底部の上方に球貯留空間を空けた状態で下部タンク３１の一側壁（即ち、前面壁３４ｂ）から後方に突出し、遊技球回収樋３４（下部タンク３１の底部）と同方向に傾斜して、遊技球回収樋３４と同方向に遊技球を下部タンク３１の側壁（前面壁３４ｂ）に沿って転動させる帯状の部分である。このバイパス用側部樋６５には、図４等に示すように、下部タンク３１の側壁からの突出先端側に球落下防止のための球落下防止壁６７が、バイパス用側部樋６５の全長にわたって形成されている。また、このバイパス用側部樋６５の基端は、図３に示すように前述の蓋部材４９に接続され、蓋部材４９上に落下した遊技球が場合によってはこのバイパス用側部樋６５に流れる構成となっている。
【００３９】
次に、均し樋６１において、前記切り欠き６２が形成されることによってこの切り欠き６２の幅方向片側（この場合遊技島の裏面側）に形成された幅の狭い帯板状部分は、均し用側部樋６６を構成する。均し用側部樋６６は、下部タンク３１の底部の上方に球貯留空間を空けた状態で下部タンク３１の他側壁（即ち、後面壁３４ｃ）から前方に突出し、遊技球回収樋３４（下部タンク３１の底部）と反対方向に傾斜して、遊技球回収樋３４と反対方向に遊技球を下部タンク３１の側壁（後面壁３４ｃ）に沿って転動させる部分である。なお、この均し用側部樋６６が、本発明の第２樋部に相当する。
【００４０】
上記均し用側部樋６６には、図３等に示すように、下部タンク３１の側壁からの突出先端側に球落下防止のための球落下防止壁６８が、間隔を空けて複数形成されている。なお、各球落下防止壁６８の間隔に相当する部分（本例では３箇所）には、球が落下可能な間隙６８ａが形成されている。
なお、前述の球落下部３６ａは、図３等に示すように、この均し用側部樋６６の側（即ちこの場合、島の裏面側）に配置されている。このため、球落下部３６ａに落下した遊技球は、下部タンク３１内に遊技球が充満していない限り、基本的にこの均し用側部樋６６上に流れて何れかの間隙６８ａを経由して下部タンク３１の底部に向けて落下して、下部タンク３１内になるべく均等に誘導される。
【００４１】
そして、均し用側部樋６６には図６に示す方向変換部材８１が、複数位置において容易に脱着可能となっている。またそのために、遊技球回収樋３４の後面壁３４ｃの複数箇所（前記間隙６８ａに対応する箇所）には係合部８３が形成されている。
方向変換部材８１は、均し用側部樋６６に沿って流下する球を屈曲させて、この均し用側部樋６６の突出先端側（即ち、何れかの間隙６８ａ）からバイパス用側部樋６５の側に向けて落下させるように誘導する部材である。なお、方向変換部材８１は、例えば金属性の薄板をプレス加工してなるものである。
【００４２】
方向変換部材８１は、図６に示すように、取り付け状態において均し用側部樋６６上に略直角に起立する誘導板部８１ａと、この誘導板部８１ａの一側（後面壁３４ｃから離れた側）の端縁から延びる断面Ｌ字状の一側係合部８１ｂと、この一側係合部８１ｂの下端から均し用側部樋６６に沿って延びる下面側板部８１ｃと、前記誘導板部８１ａの下端縁から均し用側部樋６６に沿って延びる上面側板部８１ｄと、前記誘導板部８１ａの他側（後面壁３４ｃに近い側）の端縁から均し用側部樋６６の下流側に向かって略直角に延びる側板部８１ｅとを有する。
【００４３】
ここで誘導板部８１ａは、取り付け状態において、上面から見て一側（後面壁３４ｃから離れた側）に向かって均し用側部樋６６の下流側に傾斜する板状部であり、均し用側部樋６６上を流下する遊技球に当接することによって、この遊技球を均し用側部樋６６の突出先端側（即ち間隙６８ａ）から下部タンク３１の底部へ落下させるように誘導する部分である。また一側係合部８１ｂは、取り付け状態において、球落下防止壁６８の傾斜上流側の端面と側面に接合するように、球落下防止壁６８に対して傾斜上流側から係合する部分である。また下面側板部８１ｃは、取り付け状態において、球落下防止壁６８の傾斜上流側の下面に接合するように、球落下防止壁６８に対して傾斜上流側から係合する部分であり、この下面側板部８１ｃが球落下防止壁６８の下面に当接することによって、方向変換部材８１の一側の浮き上がりが防止される。また上面側板部８１ｄは、取り付け時に均し用側部樋６６の上面に接合し、方向変換部材８１の取り付け作業を容易にする。また側板部８１ｅは、取り付け状態において、係合部８３内に挿入された状態に係合し、方向変換部材８１を所定位置に保持する部分である。
【００４４】
また係合部８３は、図６に示す係合部構成部材８３ａを後面壁３４ｃの所定位置に取り付けることによって形成される。係合部構成部材８３ａは、例えば金属性の薄板をプレス加工してなるものであり、上下両端に、後面壁３４ｃに接合した状態でビス止めされる取付板部８３ｂ，８３ｃを有する。またこの係合部構成部材８３ａは、上下の取付板部８３ｂ，８３ｃの間に、断面コ字状の係合板部８３ｄを有しており、この係合板部８３ｄと後面壁３４ｃの間の隙間として係合部８３を形成している。そして、この係合部構成部材８３ａよりなる係合部８３は、図３や図６に示すように、後面壁３４ｃにおいて、球落下防止壁６８の上流側の端部に対応する位置（本例では２箇所）に夫々設けられている。即ち、方向変換部材８１の一側係合部８１ｂが球落下防止壁６８の上流側端部に上流側から係合した取り付け状態では、当該方向変換部材８１の側板部８１ｅが対応する係合部８３（係合板部８３ｄと後面壁３４ｃの間の隙間）に上流側から挿入され、これによって当該方向変換部材８１が所定位置に取り付けられて保持される構成となっている。
【００４５】
このような構成であるから、方向変換部材８１は、図６に示すように、球落下防止壁６８の上流側端部やこれに対応する係合部８３に対して上流側からスライドさせて係合させるだけで、極めて容易に取り付け可能であり、また逆に上流側にスライドさせることで、極めて容易に取外し可能である。そしてこのように脱着することで、方向変換部材８１の取り付け位置を、極めて容易に変更可能である。本例の場合、上流側の位置又は下流側の位置の何れかに取付可能であり、２箇所の位置の何れかに容易に取り付け位置を変更できる。
【００４６】
次に、図１や図４等において符号７０で示すものは、下部タンク３１の島中央側の端壁である。この端壁７０は、遊技球回収樋３４の上方空間を仕切るように遊技球回収樋３４の上面に縦に配置されたもので、その下端部には、遊技球を少しずつ島中央側（球揚送装置３３）に送るための底部開口７１が形成されている。また、端壁７０の上端部の正面側の位置（バイパス用側部樋６５の終端に連通する位置）には、上部開口７２が形成されている。
【００４７】
これにより、下部タンク３１内の遊技球は、これら底部開口７１又は上部開口７２を通過して前述した下部シャッター３７によって開閉される流路に流れ、さらにこの流路を経由して球揚送装置３３の入口へと流れる構成となっている。詳しく説明すると、下部タンク３１内の遊技球の貯留量が少ない通常状態では、球落下部３６ａに落下して下部タンク３１内に流れた遊技球や各アウトタンク５１，５２から落下した遊技球は、主に底部開口７１を経由するメイン流路を経て底部に位置する遊技球から順に球揚送装置３３の入口に流れる。ところが、下部タンク３１内の遊技球の貯留量が多くなり、均し樋６１付近の高さに遊技球が山積になっているような多量球貯留状態になると、球落下部３６ａに落下した遊技球や各アウトタンク５１，５２から落下した遊技球の多くは、バイパス用側部樋６５と上部開口７２を経由するバイパス流路（上記メイン流路を迂回する流路）を経て球揚送装置３３の入口に短絡的に流れる。
【００４８】
なお、図３において符号７３，７４で示すものは、夫々第２検出器と第３検出器である。これら第２検出器７３と第３検出器７４は、下部タンク３１内の球貯留量を段階的に検知するためのセンサである。
なお以上の説明では、図３等によって正面から見て右側の下部タンク３１やその周辺構成について説明したが、本例の場合、計数器１２に関係する構成を除いて、島の左側にも同様の構成の下部タンク３１等が略左右対称の位置関係で設けられている。
【００４９】
以上説明した島設備によれば、次のような効果が奏される。
即ち、第１樋部（下部タンク３１内に流下する球をバイパスさせて球揚送装置３３に送るためのバイパス用側部樋６５）と第２樋部（球落下部３６ａに落下した球を下部タンク３１に均等に誘導するための均し用側部樋６６）とが、下部タンク３１において互いに反対側の側壁に設けられているので（即ち上下に重なって配置されていないので）、双方の傾斜を確保するのに、下部タンク３１を深くしたり、または、長手方向に短尺にしたりする必要がなく実用的である。
【００５０】
また本例では、遊技機から排出される球を第１樋部（バイパス用側部樋６５）または第２樋部（均し用側部樋６６）を跨がせて下部タンク３１の底部に落下させる第３樋部（排出樋部５３，５４，５５）を備える。このため、前述した多量球貯留状態のような場合には、遊技機から排出された球が、下部タンク３１の底部から山積み状態に貯留された球で形成された斜面により第１樋部（バイパス用側部樋６５）に誘導される。したがって、前述した多量球貯留状態のような場合には、遊技機から排出された球をスムーズにバイパスさせて球揚送装置３３に誘導できる。なお、前述した多量球貯留状態のような場合に、遊技機から排出された球がバイパスされて球揚送装置３３に誘導されないと、遊技球が第３樋部（排出樋部５３，５４，５５）から排出されずにアウトタンクにおいて滞留し、遊技機の稼動に支障が生じる恐れがある。しかし、上述した本例の構成であれば、このようなトラブルの発生可能性は格段に少なくなる。
特に本例では、第２樋部側の遊技機から排出される球が転動する第３樋部（排出樋部５５）は、排出口５５ａを中央より第１樋部側に寄せて設けてある。また第２樋部には、傾斜方向に沿って流下する球を屈折させて第１樋部側に向けて落下させる方向変換部材８１が設けられている。このため、下部タンク３１の底部から山積み状態に貯留された球の頂部を第１樋部側に寄せることができ、よりスムーズに遊技機から排出された球を球揚送装置３３にバイパスさせて誘導できる。
【００５１】
なお、本発明は上述した形態例に限られず、各種の変形や応用があり得る。
例えば、オーバーフロー流路から落下する球を、本発明の球落下部に落下した球として第２樋部によって下部タンク内に誘導する構成としてもよい。また例えば前記形態例において、均し樋６１の上流に、球落下部から流下する球を均し用側部樋６６に積極的に誘導する部材を設けてもよい。また、均し用側部樋６６における間隙６８ａを３箇所以上設けてもよい。
【００５２】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００５３】
【図１】遊技島の内部構造を示す正面図である。
【図２】下部タンクやアウトタンク等を示す斜視図であり、島中央側から斜めに見た図である。
【図３】図２においてアウトタンク等を取り除いた状態を示す斜視図である。
【図４】下部タンク等を示す斜視図であり、島端側から斜めに見た図である。
【図５】下部タンク等を示す縦断面図である。
【図６】方向変換部材の取り付け作業を説明するための斜視図である。
【符号の説明】
【００５４】
１０ｃ  島（遊技島）
１２  計数器
１３  上部タンク
３１  下部タンク
３３  球揚送装置
３４  遊技球回収樋（下部タンクの底部）
３６ａ  球落下部
５１，５２  アウトタンク
５３，５４，５５  排出樋部（第３樋部）
６１  均し樋
６２  切り欠き（均し樋の切り欠き）
６５  バイパス用側部樋（第１樋部）
６６  均し用側部樋（第２樋部）
６７，６８  球落下防止壁
６８ａ  間隙（球落下防止壁の間隔）
８１  方向変換部材
【図１】
2008136537.tif 000003
【図２】
2008136537.tif 000004
【図３】
2008136537.tif 000005
【図４】
2008136537.tif 000006
【図５】
2008136537.tif 000007
【図６】
2008136537.tif 000008